(57)【要約】      （修正有）【課題】ノブ部が幅広い操作者の手の大きさや形状に適合し、そして操作者の手の中に局所的な圧迫感やストレスを感じさせることなく強く確実に把持させることができる浴槽用手摺りの回転ハンドルを提供する。【解決手段】シャフト部材４の外周に装着されそして操作者の手によって回転されるノブ部２を備えたハンドル１において、ノブ部２はシャフト部材４の径方向外方に向けて凸となる略半球形状の複数の凸部２１と、シャフト部材４の径方向内方に向けて凹となる複数の凹部２２と、そして操作者がノブ部２を把持した時、操作者の手の平を圧接するようにシャフト部材４の軸方向外方へ向けて凸となる膨出部２３とを備えており、凸部２１と凹部２２はノブ部２の外周部１０にシャフト部材４の周方向に交互に配置されており、そして凸部２１の外周面２１１と凹部２２の外周面２２１は、互いに連続する曲面によって形成されている。【選択図】図１
2014144154.tif 000002
【特許請求の範囲】
【請求項１】
浴槽用手摺りの押圧板に連結されたシャフト部材を螺進退させるために、前記シャフト部材の外周に装着され、そして操作者の手によって回転されるノブ部を備えたハンドルにおいて、前記ノブ部は、
前記シャフト部材の径方向外方に向けて凸となる略半球形状の複数の凸部と、
前記シャフト部材の径方向内方に向けて凹となる複数の凹部と、そして
前記操作者が前記ノブ部を把持した時、前記操作者の手の平を圧接するように前記シャフト部材の軸方向外方へ向けて凸となる膨出部と
を備えており、
前記凸部と前記凹部は、前記ノブ部の外周部に前記シャフト部材の周方向に交互に配置されており、そして前記凸部の外周面と前記凹部の外周面は、互いに連続する曲面によって形成されている
ことを特徴とする浴槽用手摺りの回転ハンドル。
【請求項２】
前記膨出部は、前記シャフト部材の軸方向外方へ向けて凸となる曲面を有していることを特徴とする請求項１に記載の浴槽用手摺りの回転ハンドル。
【請求項３】
前記凸部及び前記凹部は、それぞれ５個または６個配置されていることを特徴とする請求項１又は２に記載の浴槽用手摺りの回転ハンドル。
【請求項４】
前記凹部の外周面の最底部は、それぞれ前記シャフト部材の軸から等距離に配置されていることを特徴とする請求項１ないし３のいずれかに記載の浴槽用手摺りの回転ハンドル。
【請求項５】
前記凸部の外周面の最頂部は、それぞれ前記シャフト部材の軸から等距離に配置されていることを特徴とする請求項１ないし４のいずれかに記載の浴槽用手摺りの回転ハンドル。
【請求項６】
前記凸部は、それぞれ前記シャフト部材の周方向に等間隔に配置されていることを特徴とする請求項１ないし５のいずれかに記載の浴槽用手摺りの回転ハンドル。
【請求項７】
前記凹部は、それぞれ前記シャフト部材の周方向に等間隔に配置されていることを特徴とする請求項１ないし６のいずれかに記載の浴槽用手摺りの回転ハンドル。
【請求項８】
前記凸部は、それぞれ同じ形状を有していることを特徴とする請求項１ないし７のいずれかに記載の浴槽用手摺りの回転ハンドル。
【請求項９】
前記凹部は、それぞれ同じ形状を有していることを特徴とする請求項１ないし８のいずれかに記載の浴槽用手摺りの回転ハンドル。
【請求項１０】
前記ノブ部と同軸上に連結されており、且つ前記シャフト部材の外周に装着される筒状部をさらに備えていることを特徴とする請求項１ないし９のいずれかに記載の浴槽用手摺りの回転ハンドル。
【請求項１１】
前記凹部の外周面の最底部から前記膨出部の中心部までの前記ノブ部の外周面に沿った最短距離：Ａ１と、前記凹部の外周面の最底部から前記シャフト部材の軸までの最短距離：Ｄは、Ｄ≦Ａ１≦５６ｍｍの関係を満たすことを特徴とする請求項１０に記載の浴槽用手摺りの回転ハンドル。
【請求項１２】
前記最短距離：Ａ１と、前記ノブ部と前記筒状部の連結部から前記凹部の外周面の最底部までの前記ノブ部の外周面に沿った最短距離：Ａ２との合計距離：Ａ１＋Ａ２は、５６ｍｍ≦Ａ１＋Ａ２≦９８ｍｍを満たすことを特徴とする請求項１０又は１１に記載の浴槽用手摺りの回転ハンドル。
【発明の詳細な説明】
【技術分野】
【０００１】
本発明は、ネジ部が形成されたシャフト部材に連結された押圧板を進退させるために、前記シャフト部材の外周に装着され、操作者の手によって回転されるノブ部を備えた浴槽用手摺りの回転ハンドルに関する。特にノブ部が幅広い操作者の手の大きさや形状に適合し、そして操作者の手の中に局所的な圧迫感やストレスを感じさせることがないので、操作者が強い力でノブ部を把持することができ、そして無理なくノブ部へ回転力を伝達することができる回転ハンドルに関する。
【背景技術】
【０００２】
従来より、高齢者や身体障害者の身体を支持することによって浴槽への出入りを容易にするために、グリップを備えており、浴槽の側壁へ着脱可能に後付けすることができる浴槽用手摺りが市販されている。このタイプの浴槽用手摺りは、通常、浴槽の側壁を強力にクランプするための押圧板を備えている。また、押圧板による浴槽側壁のクランプ及びクランプの解放は、押圧板に連結されているシャフト部材を螺進退させることによって実現されているケースが多い。したがって、上述のタイプの浴槽用手摺りの場合、押圧板はシャフト部材、又はシャフト部材と螺合しているナット部材を回転ハンドルによって回転させることにより、浴槽の側壁へ強力且つ確実にクランプされなければならない。
【０００３】
ところが、上述のタイプの浴槽用手摺りにおいて、押圧板を進退させるための回転ハンドルは、ヒトの手によって“回転される”という基本的機能のみが重視され、幅広い不特定多数の操作者の手の大きさや形状に適合させることや、操作者の手にとってもストレスを感じさせることがない優しい形状、構造とすることについては全く考慮されてこなかった。このため、従来の浴槽用手摺では、操作者が押圧板を進退させる回転ハンドルを強い力で回転させようとすると、ノブ部が操作者の手の中で容易に滑ったり、又はノブ部の滑り止め用の突起物などが操作者の手の中を局所的に圧迫することによって痛みやストレスを生じさせるので、操作者は強い力で回転ハンドルを把持し、無理なく回転ハンドルへ回転力を伝達できないという問題があった。
【０００４】
また、浴槽用手摺り以外の特定の部品へ回転力を伝達するハンドルとしては、特開２００９−２９９８５５号公報（特許文献１）及び意匠登録第１４４４７９２号公報（特許文献２）に記載されているような汎用の回転ハンドル、特開２００６−１２９８６４号公報（特許文献３）、特開２０１１−２２９４５８号公報（特許文献４），特開２００４−２３６５１５号公報（特許文献５）に記載されているような釣り用リールの回転ハンドル及び意匠登録第１１７２１７７号公報（特許文献６）に記載されているような水栓用回転ハンドルなどが知られている。
【０００５】
しかしながら、特許文献１，２及び６に記載されている回転ハンドルは、ノブ部の外周面に手の指を係止するための尖った凸部や角部が形成されているため、これらの回転ハンドルを手の平でいわゆる鷲掴み状態にしなければならないような大きな手を持った操作者においては、回転ハンドルを強い力で把持すると、ノブ部の凸部や角部が手の平を局所的に圧迫することによって手の平に痛みやストレスを生じさせるので、操作者は十分な力で回転力を回転ハンドルへ伝達できないという問題があった。
【０００６】
また、特許文献３，４及び５に記載されている回転ハンドルは、釣り用リールの回転ハンドルであって、クランク状のアーム部材に連結されたノブ部をリール軸の周りに公転させることによって回転力を発生させるように設計されている。このため、特許文献３，４及び５に記載されている回転ハンドルでは、操作者が手首の向きを固定したまま、腕と手首の小さな公転運動により高速で振り回すことができるように、ノブ部本体は指のみでも摘むことができるように比較的小さな形状とされており、またノブ部本体の表面も凹凸部が殆どない滑らかな曲面で構成されている。
【０００７】
このため、特許文献３，４及び５に記載されている回転ハンドルを、シャフト部材を螺進退させるための浴槽用手摺りの回転ハンドルへ適用すると、ノブ部が操作者の手の中で滑ったり、又は操作者の手が大きい場合はノブ部本体を手首で捻ることができず、回転ハンドルを十分に自転させることができないという問題があった。なぜなら、浴槽用手摺りの回転ハンドルは、操作者が手首を捻ることによって直接ノブ部自体を自転させなければならないからである。
【先行技術文献】
【特許文献】
【０００８】
【特許文献１】特開２００９−２９９８５５号公報
【特許文献２】意匠登録第１４４４７９２号公報
【特許文献３】特開２００６−１２９８６４号公報
【特許文献４】特開２０１１−２２９４５８号公報
【特許文献５】特開２００４−２３６５１５号公報
【特許文献６】意匠登録第１１７２１７７号公報
【発明の概要】
【発明が解決しようとする課題】
【０００９】
そこで、本発明は、シャフト部材を螺進退させるための浴槽用手摺りの回転ハンドルであって、ノブ部が幅広い操作者の手の大きさや形状に適合し、そして操作者の手の中に局所的な圧迫感やストレスを殆ど感じさせることなく強く確実に把持させることができる回転ハンドルを提供することを目的とする。
【課題を解決するための手段】
【００１０】
本発明者等は、シャフト部材を螺進退させるための浴槽用手摺りの回転ハンドルにおいて、シャフト部材の外周に装着されるノブ部の大きさや形状、表面の凹凸部の形状やその配置などについて鋭意検討を重ねた結果、回転ハンドルのノブ部の周方向には特殊な形状を施した凹凸部を設け、軸方向には手の平を押圧する膨出部を設けることによって、手のサイズが標準的な操作者に対しては、膨出部が手の平の中心付近を支持しながら凹凸部が手の指を係止し、手のサイズが大きな操作者に対しては、凹凸部が操作者の手の中に局所的な圧迫感やストレスを感じさせることなく、手の平や指の付け根付近を強力に滑り止めるようにしたことで上記の問題を解決した。
【００１１】
具体的には、本発明によれば、浴槽用手摺りの押圧板に連結されたシャフト部材を螺進退させるために、シャフト部材の外周に装着され、そして操作者の手によって回転されるノブ部を備えたハンドルにおいて、ノブ部は、シャフト部材の径方向外方に向けて凸となる略半球形状の複数の凸部と、シャフト部材の径方向内方に向けて凹となる複数の凹部と、そして操作者がノブ部を把持した時、操作者の手の平を圧接するようにシャフト部材の軸方向外方へ向けて凸となる膨出部とを備えており、凸部と凹部は、ノブ部の外周部にシャフト部材の周方向に交互に配置されており、そして凸部の外周面と凹部の外周面は、互いに連続する曲面によって形成されていることを特徴とする浴槽用手摺りの回転ハンドルが提供される。
【００１２】
換言すれば、本発明によれば、膨出部が形成されたノブ部の端部は操作者の手の平によって圧接され、凹部及び凸部が形成されたノブ部の外周部は操作者の指によっていわゆる鷲掴み状態にされることによって把持されることを前提に設計された浴槽用手摺りの回転ハンドルが提供される。
【００１３】
本発明による回転ハンドルは、シャフト部材の外周に装着されていれば、直接的にシャフト部材へ取り付けられていてもよく、又は間接的にシャフト部材へ取り付けられていてもよい。
【００１４】
例えば、シャフト部材が、外周部にネジ部が形成されそしてナットと螺合されるものである場合、回転ハンドルがシャフト部材へ直接的に取り付けられている態様であれば、シャフト部材自体を回転ハンドルによって回転させることにより螺進退させることができ、回転ハンドルがナットへ取り付けられており、シャフト部材には間接的に取り付けられている態様であれば、ナット自体を回転ハンドルによって回転させることによりシャフト部材を螺進退させることができる。
【００１５】
本発明では、ノブ部の外周部に略半球形状の複数の凸部と複数の凹部を交互に配置し、そして凸部の外周面と凹部の外周面を互いに連続する曲面によって形成したことにより、手のサイズが標準的な操作者が本発明の回転ハンドルを把持した場合、手の各指を凹部と凸部の外周面上へ隙間なく密着させ、そして凸部と凸部の間に確実に係止させることができる。特にノブ部の凸部と凹部の外周面を連続した曲面によって構成し、そして凸部を略半球形の形状としたので、手の指が凸部と凸部の間に斜め方向に配置された場合でも、手の指を凸部及び凹部へ無理なく密着させ、確実に係止させることができる。
【００１６】
なお、本願明細書で使用するところの“連続する曲面”には一部に平面を含んでいるような曲面も含まれ、厳密な意味ですべての面が曲面で構成されている必要はない。すなわち、本願明細書で使用するところの“連続する曲面”とは、面と面とが角部や段差を生じることなく互いに滑らかに接続されているような曲面と曲面との組み合せ、または曲面と平面との組み合せを意味する。
【００１７】
一方、手のサイズが大きな操作者が本発明の回転ハンドルを把持した場合、指の付け根付近又は手の平は主としてノブ部の凸部へ圧着されるので、凸部をノブ部を回転させる際の手の平や指の付け根付近の強力な滑り止めとして機能させることができる。本発明では、特にノブ部の凸部を略半球形の形状とし、そして凸部と凹部の外周面を連続した曲面によって構成したので、凸部や凹部が手の平や指の付け根付近を局所的に圧迫することがなく、操作者が強い力で回転ハンドルを握った場合でも操作者の手の中に痛みやストレスを感じさせることがない。このため、操作者は強い力で回転ハンドルを把持することができ、無理なく手首の回転をノブ部へ伝達することができる。
【００１８】
また、本発明では、ノブ部の端部に外方へ向けて凸となる膨出部を設けたことにより、操作者が本発明の回転ハンドルを把持した場合、膨出部が手の平の中心付近を押圧することによって手の平を支持させることができるので、操作者は膨出部を支点として手首を容易に捻ることができ、手首の回転を無理なくノブ部へ伝達することができる。特に膨出部をシャフト部材の軸方向外方へ向けて凸となる曲面によって構成した場合は、指の付け根付近から手の平の中心付近までをノブ部の端部に隙間なく密着させることができるので、手首を強い力で回転させる場合でも、手首の強力な回転力を無駄なくノブ部へ伝達することができる。なお、ノブ部の膨出部は、回転ハンドルを握る際に操作者によって手の平の中心付近が圧接されるものなので、操作者の手のサイズに拠らず上述の作用効果を奏することができる。なお、シャフト部材の軸方向外方とは、シャフト部材の端部を越えてシャフト部材の軸を延長する側又はその領域を意味する。
【００１９】
本発明の回転ハンドルでは、ノブ部の凸部及び凹部はそれぞれ５個または６個配置されていることが好ましい。
【００２０】
凸部及び凹部をノブ部の外周部にそれぞれ５個以上配置した場合は、手の各指をそれぞれ別個の凸部と凸部の間又は凹部の上に載置することができるので、凸部及び凹部による手の指の係止をより一層強固なものとすることができる。また、凸部及び凹部をノブ部の外周部にそれぞれ６個配置した場合は、手の指をいわゆる鷲掴み状態とした時、指と指との間隙が最も広くなる親指と小指の間に１つ遊んだ凹部を配置することができるので、手の各指を凸部及び凹部に無理なくフィットさせることができ、その結果、回転ハンドルの操作性がより一層向上する。
【００２１】
本発明の回転ハンドルでは、凹部の外周面の最底部はそれぞれシャフト部材の軸から等距離に配置されていることが好ましい。また、凸部の外周面の最頂部もそれぞれシャフト部材の軸から等距離に配置されていることが好ましい。
【００２２】
凹部の外周面の最底部をそれぞれシャフト部材の軸から等距離に配置した場合、凹部の配置は、操作者がノブ部をいわゆる鷲掴み状態にした時の各指の配置に近似しているので、凹部の上に指を載置した時のフィット性や密着性がより一層向上する。また、適合する操作者の手の許容範囲が広がるというメリットもある。
【００２３】
凸部の外周面の最頂部をそれぞれシャフト部材の軸から等距離に配置した場合、凸部の配置は、手のサイズが大きな操作者がノブ部をいわゆる鷲掴み状態にした時の各指の付け根の配置又は手の平の形状に近似しているので、凸部の上に指の付け根又は手の平を載置した時のフィット性や密着性がより一層向上する。また、比較的手のサイズが大きな操作者の中においても、適合する手の許容範囲が広がるというメリットもある。
【００２４】
なお、ここで使用するところの“シャフト部材の軸から凹部の外周面の最底部までの距離”とは、凹部の外周面の最底部からシャフト部材の軸まで垂線を下ろした時のその垂線の長さを意味し、実質的にシャフト部材の軸から凹部までの最短距離を意味する。また“シャフト部材の軸から凸部の外周面の最頂部までの距離”とは、凸部の外周面の最頂部からシャフト部材の軸まで垂線を下ろした時のその垂線の長さを意味し、実質的にシャフト部材の軸から凸部までの最短距離を意味する。また、シャフト部材の軸にはシャフト部材内部の軸のみならず、同軸上に延長されたシャフト部材外部の軸も含む概念である。
【００２５】
本発明の回転ハンドルでは、凸部はそれぞれシャフト部材の周方向に等間隔に配置されていることが好ましい。また、凹部もそれぞれシャフト部材の周方向に等間隔に配置されていることが好ましい。
【００２６】
凸部及び／又は凹部をそれぞれの周方向に等間隔に配置した場合、凸部及び／又は凹部の配置は、操作者がノブ部をいわゆる鷲掴み状態にした時の各指の配置に近似しており、そして操作者の各指を凸部と凸部の間又は凹部の上に均等間隔で載置することができるので、凸部と凸部との間又は凹部の上に指を載置した時のフィット性やホールド性、密着性がより一層向上する。また、操作者は、ノブ部の凸部及び／又は凹部の位置に合わせて握り位置を変える必要がなくなるという利益もある。さらに、手のサイズが大きな操作者が回転ハンドルを把持した場合は、均等配置された凸部が指の付け根又は手の平を万遍なく押圧するので、手とノブ部の間でムラのない摩擦力が発生し、その結果、操作者が回転ハンドルを回転させる際に手が滑るのを効果的に防止することができる。
【００２７】
本発明の回転ハンドルでは、凸部はそれぞれ同じ形状を有していることが好ましい。また、凹部もそれぞれ同じ形状を有していることが好ましい。
【００２８】
凸部及び／又は凹部をそれぞれ同じ形状とした場合、操作者は、凸部及び／又は凹部の位置を選ぶことなく手の指、指の付け根又は手の平を凸部及び／又は凹部の外周面上へ隙間なく密着させ、そしてストレスなくノブ部の外周面上に係止させることができる。また、凸部の外周面と凹部の外周面は連続した曲面によって構成されているので、操作者が凸部及び／又は凹部の位置を選ぶことなく回転ハンドルを握った場合でもノブ部から受ける押圧力は分散され、操作者の手の中に局所的な痛みやストレスを感じさせることがない。さらに、外観上も規則正しい曲面主体の統一性のとれた形状とすることができるため、見た目にも美しくヒトに優しい回転ハンドルを提供することができる。
【００２９】
本発明の回転ハンドルでは、ノブ部と同軸上に連結されており且つシャフト部材の外周に装着される筒状部をさらに備えていることが好ましい。
【００３０】
本発明の回転ハンドルは、操作者の手の平をノブ部の膨出部へ押し当て、操作者の指はノブ部の外周部をいわゆる鷲掴み状態にすることを前提に設計されているために、シャフト部材の軸方向に沿ったノブ部外周部の長さは比較的短い。そのため、同軸上にノブ部へ筒状部をさらに連結すると、回転ハンドルをシャフト部材の外周へ緩みなく強固に装着することができるので、特に回転軸に対するノブ部の振れ回りを効果的に防止することができる。
【００３１】
本発明の回転ハンドルは、凹部の外周面の最底部から膨出部の中心部までのノブ部の外周面に沿った最短距離：Ａ１と、凹部の外周面の最底部からシャフト部材の軸までの最短距離：Ｄは、Ｄ≦Ａ１≦５６ｍｍの関係を満たすことが好ましい。
【００３２】
本発明の回転ハンドルは、ノブ部の端部に外方へ向けて凸となる膨出部を備えているので、凹部から膨出部の中心部までのノブ部の外周面に沿った最短距離：Ａ１は、凹部からシャフト部材の軸までの最短距離：Ｄ以上の長さが必要である。そしてＡ１≧Ｄであると、操作者はノブ部の端部および外周部に沿って手の平及び手の指を隙間なく密着させることができるので、手首の回転力を確実にノブ部へ伝達することができる。
【００３３】
また、「日本人の人体計測データ１９９２−１９９４」（社団法人人間生活工学研究センター発行）に基づけば、成人男女の中指（第３指）長の最小値は女性の場合の５６．３ｍｍであるのに対し、成人男女の中指（第３指）長の平均値は７６．５ｍｍである。したがって、最短距離：Ａ１を５６ｍｍ以下の長さとすることにより、ほとんどの成人男女は、中指（第３指）及びその他の指もノブ部の膨出部から凹部を越えて膨出部の反対側へまで伸ばしてノブ部を掴むことができるので、回転ハンドルを容易且つ強い力で強固に把持することができる。
【００３４】
本発明の回転ハンドルは、凹部から膨出部の中心部までのノブ部の外周面に沿った最短距離：Ａ１と、ノブ部と筒状部の連結部から凹部の外周面の最底部までのノブ部の外周面に沿った最短距離：Ａ２との合計距離：Ａ１＋Ａ２は、５６ｍｍ≦Ａ１＋Ａ２≦９８ｍｍを満たすことが好ましい。
【００３５】
「日本人の人体計測データ１９９２−１９９４」（社団法人人間生活工学研究センター発行）に基づけば、成人男女の中指（第３指）長の最小値は女性の場合の５６．３ｍｍであるのに対し、最大値は男性の場合の９８．４ｍｍである。したがって、凹部から膨出部の中心部までのノブ部の外周面に沿った最短距離：Ａ１とノブ部と筒状部の連結部から凹部までのノブ部の外周面に沿った最短距離：Ａ２との和（Ａ１＋Ａ２）を５６ｍｍ以上且つ９８ｍｍ以下の長さとすることにより、ノブ部の膨出部から凹部を越えて筒状部との連結部までの最短距離（Ａ１＋Ａ２）を幅広い年齢層の成人男女の中指（第３指）の長さに適合させることができる。また、ノブ部への中指（第３指）及びその他の指の密着性が向上するので、操作者は回転ハンドルを容易且つ強い力で強固に把持することができる。
【００３６】
なお、上述の最短距離：Ａ１と最短距離：Ａ２中の“最短”とは、凹部の外周面の最底部およびシャフト部材の軸を通り且つシャフト部材の軸に平行な断面に表れるノブ部断面の外延であることを意味し、上述の凹部からシャフト部材の軸までの最短距離：Ｄ中の“最短”とは、凹部の外周面の最底部からシャフト部材の軸まで垂線を下ろした時のその垂線の長さであることを意味する。また、シャフト部材の軸にはシャフト部材内部の軸のみならず、同軸上に延長されたシャフト部材外部の軸も含む概念である。
【発明の効果】
【００３７】
本発明では、ノブ部の外周部に略半球形状の複数の凸部と複数の凹部を交互に配置し、そして凸部の外周面と凹部の外周面を互いに連続する曲面によって形成したことにより、手のサイズが標準的な操作者が本発明の回転ハンドルを把持した場合、手の各指を凹部と凸部の外周面上へ隙間なく密着させ、そして凸部と凸部の間に確実に係止させることができる。また、凸部を略半球形の形状としているので、手の指が凸部と凸部の間に斜め方向に配置された場合でも、手の指を凸部及び凹部へ無理なく密着させ、確実に係止させることができる。
【００３８】
本発明では、手のサイズが大きな操作者が本発明の回転ハンドルを把持した場合、指の付け根付近又は手の平は主としてノブ部の凸部へ圧着されるので、凸部をノブ部を回転させる際の手の平や指の付け根付近の強力な滑り止めとして機能させることができる。
【００３９】
また、本発明では、ノブ部の端部に外方へ向けて凸となる膨出部を設けたことにより、操作者が本発明の回転ハンドルを把持した場合、膨出部が手の平の中心付近を押圧することによって手の平を支持させることができるので、操作者は膨出部を支点として手首を容易に捻ることができ、手首の回転を無理なくノブ部へ伝達することができる。
【００４０】
本発明では、凸部及び凹部をノブ部の外周部にそれぞれ５個又は６個配置することにより、手の各指をそれぞれ別個の凸部と凸部の間又は凹部の上に載置することができるので、凸部及び凹部による手の指の係止をより一層強固なものとし、各指を凸部及び凹部に無理なくフィットさせることができる。
【００４１】
本発明では、凹部の外周面の最底部及び／又は凸部の外周面の最頂部をそれぞれシャフト部材の軸から等距離に配置することにより、凹部又は凸部の上に手の指、指の付け根又は手の平を載置した時のフィット性や密着性がより一層向上し、適合する操作者の手の許容範囲も広げることができる。
【００４２】
本発明では、凸部及び／又は凹部をそれぞれの周方向に等間隔に配置することにより、凸部と凸部との間又は凹部の上に指を載置した時のフィット性やホールド性、密着性がより一層向上し、また、操作者はノブ部の凸部及び／又は凹部の位置に合わせて握り位置を変える必要もなくなる。
【００４３】
本発明では、凸部及び／又は凹部をそれぞれ同じ形状とすることにより、操作者は、凸部及び／又は凹部の位置を選ぶことなく手の指、指の付け根又は手の平を凸部及び／又は凹部の外周面上へ隙間なく密着させ、そしてストレスなくノブ部の外周面上に係止させることができる。また、外観上も規則正しい曲面主体の統一性のとれた形状とすることができるため、見た目にも美しくヒトに優しい回転ハンドルを提供することができる。
【００４４】
本発明では、同軸上にノブ部へ筒状部をさらに連結すると、回転ハンドルをシャフト部材の外周へ緩みなく強固に装着することができるので、特に回転軸に対するノブ部の振れ回りを効果的に防止することができる。
【００４５】
本発明では、凹部から膨出部の中心部までのノブ部の外周面に沿った最短距離：Ａ１と凹部からシャフト部材の軸までの最短距離：Ｄとを、Ｄ≦Ａ１≦５６ｍｍの関係を満たす長さとすることにより、操作者はノブ部の端部および外周部に沿って手の平及び手の指を隙間なく密着させることができるので、手首の回転力を確実にノブ部へ伝達することができると共に、ほとんどの成人男女は、中指（第３指）をノブ部の膨出部から凹部を越えて膨出部の反対側へまで伸ばして掴むことができるので、回転ハンドルを容易且つ強い力で強固に把持することができる。
【００４６】
本発明では、最短距離：Ａ１とノブ部と筒状部の連結部から凹部の外周面の最底部までのノブ部の外周面に沿った最短距離：Ａ２との和（Ａ１＋Ａ２）を５６ｍｍ≦Ａ１＋Ａ２≦９８ｍｍとすることにより、ノブ部の膨出部から凹部を越えて筒状部との連結部までの最短距離（Ａ１＋Ａ２）を幅広い年齢層の成人男女の中指（第３指）の長さに適合させることができ、またノブ部への中指（第３指）の密着性が向上するので、操作者は回転ハンドルを容易且つ強い力で強固に把持することができる。
【図面の簡単な説明】
【００４７】
【図１】本発明の浴槽用手摺りの回転ハンドルの斜視図である。
【図２】本発明の浴槽用手摺りの回転ハンドルの正面図である。
【図３】本発明の浴槽用手摺りの回転ハンドルの側面図である。
【図４】手による把持状態を示した図２に示されている回転ハンドルのＡ−Ａ断面図である。
【図５】手による把持状態を示した図２に示されている回転ハンドルのＢ−Ｂ断面図である。
【図６】図２に示されている回転ハンドルのＡ−Ａ断面図である。
【発明を実施するための形態】
【００４８】
以下、本発明の一実施形態に係る浴槽用手摺りの回転ハンドルについて、図面を参照しながら詳細に説明する。なお、本発明は、以下に示される実施例に限定されるものではなく、本発明の技術的思想を逸脱しない範囲内で各種の変更が可能である。
【００４９】
図１〜３を用いて、本発明の一実施形態に係る浴槽用手摺りの回転ハンドル１の主な構成を説明する。図１には、斜め前方からみた本実施例の浴槽用手摺りの回転ハンドル１の斜視図が示されている。また、図２には本実施例の回転ハンドル１の正面図が示されており、図３には本実施例の回転ハンドル１の側面図が示されている。
【００５０】
図１〜３を参照して理解されるように、本実施例の回転ハンドル１は操作者の手によって回転されるノブ部２と、ノブ部２と同軸上に連結された筒状部３とから構成されており、浴槽用手摺りの押圧板（図示せず）に連結されたシャフト部材４を螺進退させるために、シャフト部材４の外周に装着される。
【００５１】
図示しないが、本実施例の回転ハンドル１が装着されるシャフト部材４は、外周部にネジ部が形成されそしてナットと螺合されるものであり、本実施例の回転ハンドル１はナットへ取り付けられ、そしてナット自体を回転ハンドル１によって回転させることによってシャフト部材４を螺進退させることができる。
【００５２】
ノブ部２は、シャフト部材４の径方向外方に向けて凸となる略半球形状の複数の凸部２１と、シャフト部材４の径方向内方に向けて凹となる複数の凹部２２と、そして操作者がノブ部２を把持した時、操作者の手の平を圧接するようにシャフト部材４の軸方向外方へ向けて凸となる膨出部２３とを備えている。凸部２１と凹部２２は、ノブ部２の外周部１０にシャフト部材４の周方向に交互に配置されており、そして凸部２１の外周面２１１と凹部２２の外周面２２１は、互いに連続する曲面によって形成されている。
【００５３】
なお、“連続する曲面”には一部に平面を含んでいるような曲面も含まれ、厳密な意味ですべての面が曲面で構成されている必要はない。したがって、本実施例において“連続する曲面”とは、面と面とが角部や段差を生じることなく互いに滑らかに接続されているような曲面と曲面との組み合せ、または曲面と平面との組み合せを意味し、凸部２１の外周面２１１及び／又は凹部２２の外周面２２１の一部に平面が含まれていてもよい。
【００５４】
図４には、図２に示した回転ハンドル１のＡ−Ａ断面図であって、手５のサイズが標準的な操作者によって回転ハンドル１が把持された状態が示されている。また、図５には、図２に示した回転ハンドル１のＢ−Ｂ断面図であって、手５のサイズが大きな操作者によって回転ハンドル１が把持された状態が示されている。
【００５５】
図４，５に示されるように、本実施例の回転ハンドル１は膨出部２３が形成されたノブ部２の端部２０は操作者の手の平によって圧接され、凹部２２及び凸部２１が形成されたノブ部２の外周部１０は操作者の指によっていわゆる鷲掴み状態にされることによって把持されることを前提に設計されている。
【００５６】
本実施例の回転ハンドル１では、ノブ部２の外周部１０に略半球形状の複数の凸部２１と複数の凹部２２を交互に配置し、そして凸部２１の外周面２１１と凹部２２の外周面２２１を互いに連続する曲面によって形成しているので、図４に示されるように、手のサイズが標準的な操作者が回転ハンドル１を把持した場合、手の各指５１を凹部２２と凸部２１の外周面２１１，２２１上へ隙間なく密着させ、そして凸部２１と凸部２１の間に確実に係止させることができる。特にノブ部の凸部２１と凹部２２の外周面１０を連続した曲面によって構成し、そして凸部２１を略半球形の形状としているので、手の指が凸部２１と凸部２１の間に斜め方向に配置された場合でも、手の指を凸部２１及び凹部２２へ無理なく密着させ、確実に係止させることができる。
【００５７】
一方、図５に示されるように、手５のサイズが大きな操作者が本実施例の回転ハンドル１を把持した場合、指の付け根５２付近又は手の平５３は主としてノブ部２の凸部２１へ圧着されるので、凸部２１をノブ部２を回転させる際の手の平５３や指の付け根５２付近の強力な滑り止めとして機能させることができる。本実施例では、特にノブ部２の凸部２１を略半球形の形状とし、そして凸部２１と凹部２２の外周面１０を連続した曲面によって構成しているので、凸部２１や凹部２２が手の平５３や指の付け根５２付近を局所的に圧迫することがなく、操作者が強い力で回転ハンドル１を握った場合でも操作者の手５の中に痛みやストレスを感じさせることがない。このため、操作者は強い力で回転ハンドル１を把持することができ、無理なく手首の回転をノブ部２へ伝達することができる。
【００５８】
また、本実施例の回転ハンドル１では、ノブ部２の端部２０に外方へ向けて凸となる膨出部２３を設けているので、操作者が回転ハンドル１を把持した場合、膨出部２３が手の平５３の中心付近を押圧することによって手の平５３を支持させることができ、その結果、操作者は膨出部２３を支点として手首を容易に捻ることができ、手首の回転を無理なくノブ部２へ伝達することができる。特に膨出部２３をシャフト部材４の軸方向外方へ向けて凸となる曲面によって構成した場合は、指の付け根５２付近から手の平５３の中心付近までをノブ部２の端部２０に隙間なく密着させることができるので（図４，５）、手首を強い力で回転させる場合でも、手首の強力な回転力を無駄なくノブ部２へ伝達することができる。なお、ノブ部２の膨出部２３は、回転ハンドル１を握る際に操作者によって手の平５３の中心付近が圧接されるものなので、操作者の手５のサイズに拠らず上述の作用効果を奏することができる。なお、シャフト部材４の軸方向外方とは、シャフト部材４の端部を越えてシャフト部材４の軸４１を延長する側又はその領域を意味する。
【００５９】
図１，２を参照して理解されるように、本実施例の回転ハンドル１では、ノブ部２の凸部２１及び凹部２２はそれぞれ６個配置されている。凸部２１及び凹部２２をノブ部２の外周部１０にそれぞれ６個配置した場合は、手の指５１をいわゆる鷲掴み状態とした時、指５１と指５１との間隙が最も広くなる親指と小指の間に１つ遊んだ凹部２２を配置することができるので、手の各指５１を凸部２１及び凹部２２に無理なくフィットさせることができ、その結果、回転ハンドル１の操作性がより一層向上する。
【００６０】
本実施例の回転ハンドル１では、凹部２２の外周面２２１の最底部２２２はそれぞれシャフト部材４の軸４１から等距離に配置されている。また、凸部２１の外周面２１１の最頂部２１２もそれぞれシャフト部材４１の軸から等距離に配置されている（図２，６参照）。
【００６１】
凹部２２の外周面２２１の最底部２２２をそれぞれシャフト部材４の軸４１から等距離に配置した場合、凹部２２の配置は、操作者がノブ部２をいわゆる鷲掴み状態にした時の各指５１の配置に近似するので、凹部２２の上に指５１を載置した時のフィット性や密着性がより一層向上する。また、適合する操作者の手５の許容範囲が広がるというメリットもある（図４参照）。
【００６２】
凸部２１の外周面２１１の最頂部２１１をそれぞれシャフト部材４の軸４１から等距離に配置した場合、凸部２１の配置は、手５のサイズが大きな操作者がノブ部２をいわゆる鷲掴み状態にした時の各指の付け根５２の配置又は手の平５３の形状に近似するので、凸部２１の上に指の付け根５２又は手の平５３を載置した時のフィット性や密着性がより一層向上する。また、比較的手５のサイズが大きな操作者の中においても、適合する手５の許容範囲が広がるというメリットもある（図５参照）。
【００６３】
なお、ここで使用するところの“シャフト部材４の軸４１から凹部２２の外周面２２１の最底部２２２までの距離”とは、凹部２２の外周面２２１の最底部２２２からシャフト部材４の軸４１まで垂線を下ろした時のその垂線の長さを意味し、実質的にシャフト部材４の軸４１から凹部２２までの最短距離を意味する。また“シャフト部材４の軸４１から凸部２１の外周面２１１の最頂部２１２までの距離”とは、凸部２１の外周面２１１の最頂部２１２からシャフト部材４の軸４１まで垂線を下ろした時のその垂線の長さを意味し、実質的にシャフト部材４の軸４１から凸部２１までの最短距離を意味する（図２，６参照）。また、シャフト部材４の軸４１にはシャフト部材４内部の軸４１１のみならず、同軸上に延長されたシャフト部材４外部の軸４１２も含まれる（図６参照）。
【００６４】
図２に示されるように、本実施例の回転ハンドル１では、凸部２１はそれぞれシャフト部材４の周方向に等間隔に配置されており、また凹部２２もそれぞれシャフト部材４の周方向に等間隔に配置されている。
【００６５】
凸部２１及び／又は凹部２２をそれぞれの周方向に等間隔に配置した場合、凸部２１及び／又は凹部２２の配置は、操作者がノブ部をいわゆる鷲掴み状態にした時の各指５１の配置に近似し、そして操作者の各指５１を凸部２１と凸部２１の間又は凹部２２の上に均等間隔で載置することができるので、凸部２１と凸部２１との間又は凹部２２の上に指を載置した時のフィット性やホールド性、密着性がより一層向上する。また、操作者は、ノブ部２の凸部２１及び／又は凹部２２の位置に合わせて握り位置を変える必要がなくなるという利益もある。さらに、手５のサイズが大きな操作者が回転ハンドル１を把持した場合は、均等配置された凸部２１が指の付け根５２又は手の平５３を万遍なく押圧するので、手５とノブ部２の間でムラのない摩擦力が発生し、その結果、操作者が回転ハンドル１を回転させる際に手５が滑るのを効果的に防止することができる（図５参照）。
【００６６】
本実施例の回転ハンドル１では、凸部２１はそれぞれ同じ形状を有しており、また凹部２２もそれぞれ同じ形状を有している（図２参照）。
【００６７】
凸部２１及び／又は凹部２２をそれぞれ同じ形状とした場合、操作者は、凸部２１及び／又は凹部２２の位置を選ぶことなく手の指５１、指の付け根５２又は手の平５３を凸部２１及び／又は凹部２２の外周面２１１，２２１上へ隙間なく密着させ、そしてストレスなくノブ部２の外周面２１１，２２１上に係止させることができる。また、凸部２１の外周面２１１と凹部２２の外周面２２１は連続した曲面によって構成されているので、操作者が凸部２１及び／又は凹部２２の位置を選ぶことなく回転ハンドル１を握った場合でもノブ部２から受ける押圧力は分散され、操作者の手５の中に局所的な痛みやストレスを感じさせることがない。さらに、外観上も規則正しい曲面主体の統一性のとれた形状とすることができるため、見た目にも美しくヒトに優しい回転ハンドル１を提供することができる。
【００６８】
図１，６に示されるように、本実施例の回転ハンドル１では、ノブ部２と同軸上に連結されており且つシャフト部材４の外周に装着される筒状部３を備えている。本実施例の回転ハンドル１は、操作者の手の平５３をノブ部２の膨出部２３へ押し当て、操作者の指５１はノブ部２の外周部１０をいわゆる鷲掴み状態にすることを前提に設計されているために、シャフト部材４の軸４１方向に沿ったノブ部２外周部の長さは比較的短い。そのため、同軸上にノブ部２へ筒状部３をさらに連結すると、回転ハンドル１をシャフト部材４の外周へ緩みなく強固に装着することができるので、特に回転軸４１に対するノブ部２の振れ回りを効果的に防止することができる。
【００６９】
図６には、図２に示した回転ハンドル１のＡ−Ａ断面図が示されている。図２に示されるように、本実施例の回転ハンドル１は、凹部２２の外周面２２１の最底部２２２から膨出部２３の中心部２３１までのノブ部２の外周面に沿った最短距離：Ａ１と、凹部２２の外周面２２１の最底部２２２からシャフト部材４の軸４１までの最短距離：Ｄは、Ｄ≦Ａ１≦５６ｍｍの関係を満たしている。
【００７０】
本実施例の回転ハンドル１は、ノブ部２の端部２０に外方へ向けて凸となる膨出部２３を備えているので、凹部２２から膨出部２３の中心部２３１までのノブ部２の外周面に沿った最短距離：Ａ１は、必然的に凹部２２からシャフト部材４の軸４１までの最短距離：Ｄ以上の長さとなっている。そしてＡ１≧Ｄであると、操作者はノブ部２の端部２０および外周部１０に沿って手の平５３及び手の指５１を隙間なく密着させることができるので、手首の回転力を確実にノブ部２へ伝達することができる。
【００７１】
また、「日本人の人体計測データ１９９２−１９９４」（社団法人人間生活工学研究センター発行）によると、成人男女の中指（第３指）長の最小値は女性の場合の５６．３ｍｍであるのに対し、成人男女の中指（第３指）長の平均値は７６．５ｍｍである。したがって、最短距離：Ａ１を５６ｍｍ以下の長さとすることにより、ほとんどの成人男女は、中指（第３指）及びその他の指もノブ部２の膨出部２３から凹部２２を越えて膨出部の反対側へまで伸ばしてノブ部２を掴むことができるので、回転ハンドル１を容易且つ強い力で強固に把持することができる（図４参照）。
【００７２】
図６に示されているように、本実施例の回転ハンドル１は、凹部２２から膨出部２３の中心部２３１までのノブ部２の外周面に沿った最短距離：Ａ１と、ノブ部２と筒状部３の連結部６から凹部の外周面の最底部までのノブ部の外周面に沿った最短距離：Ａ２との合計距離：Ａ１＋Ａ２は、５６ｍｍ≦Ａ１＋Ａ２≦９８ｍｍを満たしている。
【００７３】
「日本人の人体計測データ１９９２−１９９４」（社団法人人間生活工学研究センター発行）によると、成人男女の中指（第３指）長の最小値は女性の場合の５６．３ｍｍであるのに対し、最大値は男性の場合の９８．４ｍｍである。したがって、凹部２２から膨出部２３の中心部２３１までのノブ部２の外周面に沿った最短距離：Ａ１とノブ部２と筒状部３の連結部６から凹部２２までのノブ部２の外周面に沿った最短距離：Ａ２との和（Ａ１＋Ａ２）を５６ｍｍ以上且つ９８ｍｍ以下の長さとすることにより、ノブ部２の膨出部２３から凹部２２を越えて筒状部３との連結部６までの最短距離（Ａ１＋Ａ２）を幅広い年齢層の成人男女の中指（第３指）の長さに適合させることができる。また、ノブ部２への中指（第３指）及びその他の指の密着性が向上するので、操作者は回転ハンドル１を容易且つ強い力で強固に把持することができる（図４参照）。
【００７４】
なお、上述の最短距離：Ａ１と最短距離：Ａ２中の“最短”とは、図６に示されているとおり、凹部２２の外周面２２１の最底部２２２およびシャフト部材４の軸４１を通り且つシャフト部材４の軸４１に平行な断面に表れるノブ部２断面の外延であることを意味し、上述の凹部２２からシャフト部材４の軸４１までの最短距離：Ｄ中の“最短”とは、凹部２２の外周面２２１の最底部２２２からシャフト部材４の軸４１まで垂線を下ろした時のその垂線の長さであることを意味する。また、シャフト部材４の軸４１にはシャフト部材４内部の軸４１１のみならず、同軸上に延長されたシャフト部材４外部の軸４１２も含まれる（図６参照）。
【符号の説明】
【００７５】
１・・・・・回転ハンドル
１０・・・・外周部
２・・・・・ノブ部
２０・・・・端部
２１・・・・凸部
２１１・・・外周面
２１２・・・最頂部
２２・・・・凹部
２２１・・・外周面
２２２・・・最低部
２３・・・・膨出部
２３１・・・中心部
３・・・・・筒状部
４・・・・・シャフト部材
４１・・・・軸
４１１・・・内部軸
４１２・・・外部軸
５・・・・・手
５１・・・・指
５２・・・・指の付け根
５３・・・・手の平
６・・・・・連結部
【図１】
2014144154.tif 000003
【図２】
2014144154.tif 000004
【図３】
2014144154.tif 000005
【図４】
2014144154.tif 000006
【図５】
2014144154.tif 000007
【図６】
2014144154.tif 000008